(57)【特許請求の範囲】
【請求項１】
測定対象に印加する測定用交流電圧を生成する電圧生成部と、前記測定用交流電圧の印加状態のときに測定電流が流れることによって前記測定対象の両端間に発生する両端間電圧を検出する電圧検出部と、前記測定電流を検出する電流検出部と、前記両端間電圧、前記測定電流および前記測定用交流電圧の周波数に基づいて、前記測定対象としてのキャパシタのキャパシタンス値を測定する測定処理を実行する処理部とを備えている測定装置であって、
前記処理部は、前記両端間電圧と前記測定電流との間の位相差θを検出する位相差検出処理を実行し、かつ前記測定処理を実行する際には、前記キャパシタンス値を測定する際の前記測定用交流電圧の電圧値として予め規定されている規定電圧値を１／ｓｉｎθ倍した補正規定電圧値で前記電圧生成部に前記測定用交流電圧を生成させる測定装置。
【請求項２】
測定対象に印加する測定用交流電圧を生成する電圧生成部と、前記測定用交流電圧の印加状態のときに測定電流が流れることによって前記測定対象の両端間に発生する両端間電圧を検出する電圧検出部と、前記測定電流を検出する電流検出部と、前記両端間電圧、前記測定電流および前記測定用交流電圧の周波数に基づいて、前記測定対象としてのインダクタのインダクタンス値を測定する測定処理を実行する処理部とを備えている測定装置であって、
前記処理部は、前記両端間電圧と前記測定電流との間の位相差θを検出する位相差検出処理を実行し、かつ前記測定処理を実行する際には、前記インダクタンス値を測定する際の前記測定用交流電圧の電圧値として予め規定されている規定電圧値を１／ｓｉｎθ倍した補正規定電圧値で前記電圧生成部に前記測定用交流電圧を生成させる測定装置。
【請求項３】
測定対象に測定用交流電圧を印加する印加ステップと、前記測定用交流電圧の印加状態のときに測定電流が流れることによって前記測定対象の両端間に発生する両端間電圧を検出する電圧検出ステップと、前記測定電流を検出する電流検出ステップと、前記両端間電圧、前記測定電流および前記測定用交流電圧の周波数に基づいて前記測定対象としてのキャパシタのキャパシタンス値を測定する測定ステップとを実行する測定方法であって、
前記両端間電圧と前記測定電流との間の位相差θを検出する位相差検出ステップを実行し、
前記測定ステップを実行する際には、前記印加ステップにおいて、前記キャパシタンス値を測定する際の前記測定用交流電圧の電圧値として予め規定されている規定電圧値を１／ｓｉｎθ倍した補正規定電圧値で前記測定用交流電圧を印加する測定方法。
【請求項４】
測定対象に測定用交流電圧を印加する印加ステップと、前記測定用交流電圧の印加状態のときに測定電流が流れることによって前記測定対象の両端間に発生する両端間電圧を検出する電圧検出ステップと、前記測定電流を検出する電流検出ステップと、前記両端間電圧、前記測定電流および前記測定用交流電圧の周波数に基づいて前記測定対象としてのインダクタのインダクタンス値を測定する測定ステップとを実行する測定方法であって、
前記両端間電圧と前記測定電流との間の位相差θを検出する位相差検出ステップを実行し、
前記測定ステップを実行する際には、前記印加ステップにおいて、前記インダクタンス値を測定する際の前記測定用交流電圧の電圧値として予め規定されている規定電圧値を１／ｓｉｎθ倍した補正規定電圧値で前記測定用交流電圧を印加する測定方法。
【発明の詳細な説明】
【技術分野】
【０００１】
本発明は、キャパシタやインダクタなどの測定対象のインピーダンスを測定する測定装置および測定方法に関するものである。
【背景技術】
【０００２】
この種の測定装置として、本願出願人は下記特許文献１に開示された測定装置を既に提案している。この測定装置は、キャパシタ（コンデンサ）を測定対象としてその静電容量を測定する静電容量測定装置であり、測定用交流信号を供給可能な発振器（交流信号供給部）と、測定用交流信号の印加時において測定対象を流れる電流を電流電圧変換する増幅回路（電流電圧変換部）と、測定用交流信号の印加時において測定対象の両端間に発生する両端間電圧を検出する電圧検出部と、測定用交流信号の周波数、電流電圧変換部によって電流電圧変換された電圧の波形および両端間電圧の波形に基づいて測定対象のインピーダンスと静電容量を測定する制御部とを備えている。
【０００３】
ところで、測定対象によっては電圧依存性（測定時に印加される電圧の電圧値によって流れる電流、ひいては測定されるインピーダンスや静電容量が変化する性質）があるものがあり（例えば積層セラミックコンデンサなど）、このような測定対象を測定する際には規定の定電圧（例えばＪＩＳなどの規格で規定された定電圧）を正確に印加する必要がある。このため、この種の測定対象を測定する場合には、例えば制御部が交流信号供給部から供給される測定用交流信号の振幅を制御することにより、電圧検出部で検出している両端間電圧が規定の定電圧となるようにしている。
【先行技術文献】
【特許文献】
【０００４】
【特許文献１】特開２００７−１２１１２５号公報（第４−６頁、第１図）
【発明の概要】
【発明が解決しようとする課題】
【０００５】
ところが、上記のようにして両端間電圧を定電圧にする構成を採用する測定装置には、以下のような改善すべき課題が存在している。すなわち、この測定装置では、電圧検出部で検出している両端間電圧が規定の定電圧となるようにしているが、測定装置がインピーダンスを２端子法で測定する場合には、電圧検出部に接続されるプローブと交流信号供給部に接続されるプローブとが共通となることから、このプローブと測定対象の端子との間の接触抵抗やこのプローブの配線抵抗（測定対象に対して直列の状態で存在している抵抗）での電圧降下分が両端間電圧に含まれている。また、測定装置がインピーダンスを２端子法および４端子法のいずれの方法で測定する場合においても測定対象がキャパシタの場合にはキャパシタ成分だけでなく抵抗成分がこのキャパシタ成分と直列の状態で存在しており、測定対象がインダクタの場合にはインダクタ成分だけでなく抵抗成分がこのインダクタ成分と直列の状態で存在しているため、この抵抗成分での電圧降下分が両端間電圧に含まれている。つまり、電圧検出部で検出している両端間電圧は、キャパシタ成分やインダクタ成分（以下、キャパシタ成分等という）に印加されている電圧と、キャパシタ成分等に対して直列に配設されている抵抗成分での電圧降下分（この抵抗成分に印加されている電圧）の合成電圧となっている。したがって、この測定装置には、規定の電圧を測定対象のキャパシタ成分やインダクタ成分に正確に印加した状態でのキャパシタンス値やインダクタンス値の測定が困難であり、これを改善すべきとの課題が存在している。
【０００６】
本発明は、かかる課題に鑑みてなされたものであり、測定対象のキャパシタ成分等に規定の電圧を正確に印加した状態でキャパシタンス値等を測定し得る測定装置および測定方法を提供することを主目的とする。
【課題を解決するための手段】
【０００７】
上記目的を達成すべく請求項１記載の測定装置は、測定対象に印加する測定用交流電圧を生成する電圧生成部と、前記測定用交流電圧の印加状態のときに測定電流が流れることによって前記測定対象の両端間に発生する両端間電圧を検出する電圧検出部と、前記測定電流を検出する電流検出部と、前記両端間電圧、前記測定電流および前記測定用交流電圧の周波数に基づいて、前記測定対象としてのキャパシタのキャパシタンス値を測定する測定処理を実行する処理部とを備えている測定装置であって、前記処理部は、前記両端間電圧と前記測定電流との間の位相差θを検出する位相差検出処理を実行し、かつ前記測定処理を実行する際には、前記キャパシタンス値を測定する際の前記測定用交流電圧の電圧値として予め規定されている規定電圧値を１／ｓｉｎθ倍した補正規定電圧値で前記電圧生成部に前記測定用交流電圧を生成させる。
【０００８】
また、請求項２記載の測定装置は、測定対象に印加する測定用交流電圧を生成する電圧生成部と、前記測定用交流電圧の印加状態のときに測定電流が流れることによって前記測定対象の両端間に発生する両端間電圧を検出する電圧検出部と、前記測定電流を検出する電流検出部と、前記両端間電圧、前記測定電流および前記測定用交流電圧の周波数に基づいて、前記測定対象としてのインダクタのインダクタンス値を測定する測定処理を実行する処理部とを備えている測定装置であって、前記処理部は、前記両端間電圧と前記測定電流との間の位相差θを検出する位相差検出処理を実行し、かつ前記測定処理を実行する際には、前記インダクタンス値を測定する際の前記測定用交流電圧の電圧値として予め規定されている規定電圧値を１／ｓｉｎθ倍した補正規定電圧値で前記電圧生成部に前記測定用交流電圧を生成させる。
【０００９】
また、請求項３記載の測定方法は、測定対象に測定用交流電圧を印加する印加ステップと、前記測定用交流電圧の印加状態のときに測定電流が流れることによって前記測定対象の両端間に発生する両端間電圧を検出する電圧検出ステップと、前記測定電流を検出する電流検出ステップと、前記両端間電圧、前記測定電流および前記測定用交流電圧の周波数に基づいて前記測定対象としてのキャパシタのキャパシタンス値を測定する測定ステップとを実行する測定方法であって、前記両端間電圧と前記測定電流との間の位相差θを検出する位相差検出ステップを実行し、前記測定ステップを実行する際には、前記印加ステップにおいて、前記キャパシタンス値を測定する際の前記測定用交流電圧の電圧値として予め規定されている規定電圧値を１／ｓｉｎθ倍した補正規定電圧値で前記測定用交流電圧を印加する。
【００１０】
また、請求項４記載の測定方法は、測定対象に測定用交流電圧を印加する印加ステップと、前記測定用交流電圧の印加状態のときに測定電流が流れることによって前記測定対象の両端間に発生する両端間電圧を検出する電圧検出ステップと、前記測定電流を検出する電流検出ステップと、前記両端間電圧、前記測定電流および前記測定用交流電圧の周波数に基づいて前記測定対象としてのインダクタのインダクタンス値を測定する測定ステップとを実行する測定方法であって、前記両端間電圧と前記測定電流との間の位相差θを検出する位相差検出ステップを実行し、前記測定ステップを実行する際には、前記印加ステップにおいて、前記インダクタンス値を測定する際の前記測定用交流電圧の電圧値として予め規定されている規定電圧値を１／ｓｉｎθ倍した補正規定電圧値で前記測定用交流電圧を印加する。
【発明の効果】
【００１１】
請求項１記載の測定装置および請求項３記載の測定方法では、両端間電圧と測定電流との間の位相差θを検出する位相差検出処理（位相差検出ステップ）を実行し、測定処理（測定ステップ）を実行する際には、測定対象であるキャパシタのキャパシタンス値を測定する際の測定用交流電圧の電圧値として予め規定されている規定電圧値を１／ｓｉｎθ倍した補正規定電圧値で電圧生成部に測定用交流電圧を生成させる。
【００１２】
したがって、この測定装置および測定方法によれば、測定対象であるキャパシタのキャパシタ成分の両端間に実際に印加される電圧の電圧値を正確に規定電圧値とした状態でキャパシタンス値を測定することができる。
【００１３】
請求項２記載の測定装置および請求項４記載の測定方法では、両端間電圧と測定電流との間の位相差θを検出する位相差検出処理（位相差検出ステップ）を実行し、測定処理（測定ステップ）を実行する際には、測定対象であるインダクタのインダクタンス値を測定する際の測定用交流電圧の電圧値として予め規定されている規定電圧値を１／ｓｉｎθ倍した補正規定電圧値で電圧生成部に測定用交流電圧を生成させる。
【００１４】
したがって、この測定装置および測定方法によれば、測定対象であるインダクタのインダクタ成分の両端間に実際に印加される電圧の電圧値を正確に規定電圧値とした状態でインダクタンス値を測定することができる。
【図面の簡単な説明】
【００１５】
【図１】測定装置１の構成図である。
【発明を実施するための形態】
【００１６】
以下、添付図面を参照して、測定装置および測定方法の実施の形態について説明する。
【００１７】
測定装置の一例としての測定装置１は、図１に示すように、一例として、電圧生成部２、電圧検出部３、電流検出部４、処理部５、記憶部６および出力部７を備え、測定対象としての電子部品１１の特性値を測定する。測定対象となる電子部品１１としては、キャパシタとインダクタが存在し、キャパシタが電子部品１１のときにはキャパシタンス値が特性値として測定され、インダクタが電子部品１１のときにはインダクタンス値が特性値として測定される。以下では、キャパシタを電子部品１１とし、そのキャパシタンス値Ｃを特性値として測定する例を挙げて説明する。
【００１８】
電圧生成部２は、一例として、振幅を任意に設定可能な交流電圧生成器で構成されて、一定の周波数ｆの交流電圧を設定された振幅で測定用交流電圧Ｖｍとして生成して不図示の一対の出力端子間から出力する。また、電圧生成部２は、外部から入力される電圧設定データＤｓで示される振幅で測定用交流電圧Ｖｍを生成して出力する。なお、以下では、発明の理解を容易にするため、測定用交流電圧Ｖｍの振幅（電圧値）についても符号Ｖｍを付するものとする。また、電圧生成部２は、各出力端子に接続された一対の電圧印加用プローブＰＬ１，ＰＬ２を介して電子部品１１（キャパシタ）の各端子１１ａ，１１ｂ間に測定用交流電圧Ｖｍを印加する。
【００１９】
電圧検出部３は、不図示の一対の電圧検出端子が一対の電圧印加用プローブＰＬ１，ＰＬ２のうちの対応するプローブＰＬに接続されて、この一対の電圧印加用プローブＰＬ１，ＰＬ２を介して電子部品１１の各端子１１ａ，１１ｂに接続されている。この構成により、電圧検出部３は、測定用交流電圧Ｖｍの印加状態のときに交流電流である測定電流Ｉｍが電子部品１１に流れることによって電子部品１１の両端間に発生する交流電圧である両端間電圧Ｖ１を電圧印加用プローブＰＬ１，ＰＬ２を介して検出すると共に、この両端間電圧Ｖ１の電圧値（振幅）に比例して電圧値（振幅）が変化する交流信号である電圧検出信号Ｖｖを生成して出力する。なお、以下では、発明の理解を容易にするため、両端間電圧Ｖ１の振幅（電圧値）についても符号Ｖ１を付するものとする。この場合、この両端間電圧Ｖ１には、各電圧印加用プローブＰＬ１，ＰＬ２の抵抗成分および各電圧印加用プローブＰＬ１，ＰＬ２と電子部品１１の各端子１１ａ，１１ｂとの間の各接触抵抗（図１では、この抵抗成分および接触抵抗の合成抵抗を模式的に抵抗Ｒ１，Ｒ２として表している）での電圧降下分が含まれている。また、測定対象となっている電子部品１１としてキャパシタは、後述するように、本来のキャパシタ成分１１ｃに抵抗成分１１ｄが直列接続された等価回路で一般的に表されるため、この抵抗成分１１ｄでの電圧降下分についても、両端間電圧Ｖ１に含まれている。なお、一般的には、この抵抗成分１１ｄは上記の抵抗Ｒ１，Ｒ２に比べて抵抗値が小さいため、この抵抗値が無視し得る程度に十分に小さいときには、抵抗成分１１ｄでの電圧降下分については考慮しないこともできる。また、電流検出部４での電圧降下は極めて小さいため、この電圧降下分については無視するものとする。
【００２０】
電流検出部４は、測定用交流電圧Ｖｍの印加状態のときに電圧印加用プローブＰＬ１，ＰＬ２を介して電子部品１１に流れる測定電流Ｉｍを検出すると共に、この測定電流Ｉｍの電流値（振幅）に比例して電圧値（振幅）が変化する交流信号である電流検出信号Ｖｉを生成して出力する。なお、本例では、電流検出部４は、図１に示すように電圧印加用プローブＰＬ２側に配設されているが、電圧印加用プローブＰＬ１側に配設されていてもよい。また、以下では、発明の理解を容易にするため、測定電流Ｉｍの振幅（電流値）についても符号Ｉｍを付するものとする。
【００２１】
処理部５は、例えば、Ａ／Ｄ変換器およびコンピュータ（いずれも図示せず）を備えて構成されて、電圧検出信号Ｖｖおよび電流検出信号Ｖｉを入力すると共に、電圧検出信号Ｖｖをサンプリングすることによってその瞬時値を示す電圧波形データＤｖに変換し、かつ電流検出信号Ｖｉをサンプリングすることによってその瞬時値を示す電流波形データＤｉに変換して、少なくとも電圧検出信号Ｖｖの一周期分の電圧波形データＤｖおよび電流波形データＤｉを記憶部６に記憶させる波形データ取得処理を実行する。また、処理部５は、記憶部６に記憶させた電圧波形データＤｖおよび電流波形データＤｉに基づいて、両端間電圧Ｖ１と測定電流Ｉｍとの間の位相差θ（測定用交流電圧Ｖｍと測定電流Ｉｍとの間の位相差でもある）を検出する位相差検出処理を実行して、検出した位相差θを記憶部６に記憶させる。また、処理部５は、電圧設定データＤｓを電圧生成部２に出力して、電圧生成部２から出力される測定用交流電圧Ｖｍの電圧値Ｖｍを設定する電圧設定処理を実行する。また、処理部５は、電圧波形データＤｖ、電流波形データＤｉ、位相差θおよび測定用交流電圧Ｖｍの既知の周波数ｆに基づいて、電子部品１１（キャパシタ）のキャパシタンス値Ｃを測定すると共に出力部７に出力する測定処理を実行する。
【００２２】
記憶部６は、例えば、書き換え可能な記憶装置（ハードディスク装置やＲＡＭなど）で構成されて、処理部５のための動作プログラム、キャパシタンス値Ｃの測定に際して電子部品１１（キャパシタ）に印加すべき測定用交流電圧Ｖｍの電圧値Ｖｍについての規定電圧値Ｖｒを予め記憶する。また、記憶部６は、周波数ｆについても記憶する。
【００２３】
出力部７は、一例として液晶ディスプレイ装置などの表示装置で構成されて、処理部５から出力されたキャパシタンス値Ｃを画面に表示する。なお、外部装置にデータを送信するインタフェース装置で出力部７を構成して、測定されたキャパシタンス値Ｃを出力部７を介して外部装置に出力する構成を採用することもできるし、リムーバブルメディアにデータを記憶するインターフェース装置で出力部７を構成して、測定されたキャパシタンス値Ｃを出力部７を介してリムーバブルメディアに記憶する構成を採用することもできる。
【００２４】
次に、測定装置１の動作と併せて、測定方法について、図面を参照して説明する。
【００２５】
電圧生成部２および電圧検出部３が電圧印加用プローブＰＬ１，ＰＬ２を介して電子部品１１に接続されている状態において、処理部５は、まず、最初の電圧設定処理を実行する。この電圧設定処理では、処理部５は、記憶部６から規定電圧値Ｖｒを読み出すと共にこの規定電圧値Ｖｒを示す電圧設定データＤｓを電圧生成部２に出力して、電圧生成部２から出力される測定用交流電圧Ｖｍの電圧値Ｖｍを規定電圧値Ｖｒに設定する。これにより、電圧生成部２は、電圧値Ｖｍを規定電圧値Ｖｒに設定して測定用交流電圧Ｖｍを生成して電子部品１１の両端間（両端子１１ａ，１１ｂ間）に印加する。
【００２６】
次いで、処理部５は、この状態において最初の波形データ取得処理を実行する。この波形データ取得処理では、処理部５は、電圧検出信号Ｖｖおよび電流検出信号Ｖｉを入力してサンプリングすることによって電圧波形データＤｖおよび電流波形データＤｉに変換し、この各波形データＤｖ，Ｄｉについて電圧検出信号Ｖｖの一周期分を記憶部６に記憶させる。
【００２７】
続いて、処理部５は、位相差検出処理を実行する（位相差検出ステップ）。この位相差検出処理では、処理部５は、記憶部６に記憶させた電圧波形データＤｖおよび電流波形データＤｉに基づいて、両端間電圧Ｖ１と測定電流Ｉｍとの間の位相差θ（測定用交流電圧Ｖｍと測定電流Ｉｍとの間の位相差でもある）を検出すると共に、検出した位相差θを記憶部６に記憶させる。
【００２８】
次いで、処理部５は、２回目の電圧設定処理を実行する。この電圧設定処理では、処理部５は、まず、記憶部６から規定電圧値Ｖｒおよび位相差θを読み出すと共に規定電圧値Ｖｒを１／ｓｉｎθ倍した補正規定電圧値Ｖｒｃを算出する。次いで、処理部５は、この補正規定電圧値Ｖｒｃを示す電圧設定データＤｓを電圧生成部２に出力して、電圧生成部２から出力される測定用交流電圧Ｖｍの電圧値Ｖｍをこの補正規定電圧値Ｖｒｃに設定する。これにより、電圧生成部２は、電圧値Ｖｍを補正規定電圧値Ｖｒｃに設定して測定用交流電圧Ｖｍを生成して電子部品１１の両端間（両端子１１ａ，１１ｂ間）に印加する（印加ステップ）。
【００２９】
このようにして、電圧生成部２に対して、規定電圧値Ｖｒに代えて補正規定電圧値Ｖｒｃを電圧値Ｖｍとして測定用交流電圧Ｖｍを印加させる理由について説明する。測定対象となっている電子部品１１としてキャパシタは、図１に示すように、本来のキャパシタ成分１１ｃに抵抗成分１１ｄが直列接続された等価回路で一般的に表される。また、電子部品１１には、上記した抵抗Ｒ１，Ｒ２が等価的に直列に接続されている。つまり、キャパシタ成分１１ｃには、抵抗Ｒ１，Ｒ２および抵抗成分１１ｄの直列合成抵抗が直列に接続されている。このため、電子部品１１の両端間（両端子１１ａ，１１ｂ間）に規定電圧値Ｖｒを印加したとしても、規定電圧値Ｖｒは上記の直列合成抵抗とキャパシタ成分１１ｃとで分圧されることから、キャパシタ成分１１ｃの両端間に実際に印加される電圧Ｖｃは、Ｖｒ×ｓｉｎθ（このθは、上記の位相差検出処理で求められる両端間電圧Ｖ１と測定電流Ｉｍとの間の位相差）となって、規定電圧値Ｖｒよりも低い電圧となる。そこで、電圧生成部２から出力される測定用交流電圧Ｖｍの電圧値Ｖｍを、規定電圧値Ｖｒを予め１／ｓｉｎθ倍した補正規定電圧値Ｖｒｃ（＝Ｖｒ×（１／ｓｉｎθ））に規定して出力させることで、キャパシタ成分１１ｃの両端間に実際に印加される電圧Ｖｃを、下記式のように規定電圧値Ｖｒとしている。
Ｖｃ＝Ｖｒｃ×ｓｉｎθ＝Ｖｒ×（１／ｓｉｎθ））×ｓｉｎθ＝Ｖｒ
【００３０】
続いて、処理部５は、上記した２回目の電圧設定処理の実行後に、２回目の波形データ取得処理を実行する。この波形データ取得処理では、処理部５は、電圧検出信号Ｖｖおよび電流検出信号Ｖｉを入力してサンプリングすることによって電圧波形データＤｖおよび電流波形データＤｉに変換し、この各波形データＤｖ，Ｄｉについて電圧検出信号Ｖｖの一周期分を記憶部６に記憶させる（電圧検出ステップおよび電流検出ステップ）。
【００３１】
次いで、処理部５は、測定処理を実行する（測定ステップ）。この測定処理では、処理部５は、まず、記憶部６に記憶されている電圧波形データＤｖおよび電流波形データＤｉ（２回目の波形データ取得処理で取得した波形データ）に基づいて、測定用交流電圧Ｖｍの実効値Ｖｒｍと測定電流Ｉｍの実効値Ｉｒｍとを算出する。次いで、処理部５は、算出した各実効値Ｖｒｍ，Ｉｒｍに基づいて、電子部品１１のインピーダンスＺ（＝Ｖｒｍ／Ｉｒｍ）を算出する。続いて、処理部５は、算出したインピーダンスＺと記憶部６に記憶されている位相差θとに基づいて、電子部品１１のリアクタンスＸ（＝Ｚ×ｓｉｎθ）を算出する。次いで、処理部５は、算出したリアクタンスＸと既知の周波数ｆ（記憶部６に記憶されている周波数ｆ）とに基づいて、電子部品１１のキャパシタンス値Ｃ（＝１／（２π×ｆ×Ｘ））を算出して記憶部６に記憶させる。このようにして算出されたキャパシタンス値Ｃは、電子部品１１のキャパシタ成分１１ｃの両端間に印加されている電圧Ｖｃが規定電圧値Ｖｒのときの値であるため、電子部品１１のキャパシタンス値を正確に表したものとなっている。最後に、処理部５は、算出したキャパシタンス値Ｃを出力部７に出力して表示させる。これにより、電子部品１１のキャパシタンス値Ｃの測定が完了する。
【００３２】
このように、この測定装置１および測定方法では、両端間電圧Ｖ１と測定電流Ｉｍとの間の位相差θを検出する位相差検出処理（位相差検出ステップ）を実行し、測定処理（測定ステップ）を実行する際には、電圧生成部２に対する電圧設定処理（印加ステップ）において、電子部品１１のキャパシタンス値Ｃを測定する際の測定用交流電圧Ｖｍの電圧値Ｖｍとして予め規定されている規定電圧値Ｖｒを１／ｓｉｎθ倍した補正規定電圧値Ｖｒｃで電圧生成部２に測定用交流電圧Ｖｍを生成させる。
【００３３】
したがって、この測定装置１および測定方法によれば、測定対象である電子部品１１としてのキャパシタのキャパシタ成分１１ｃの両端間に実際に印加される電圧Ｖｃの電圧値を正確に規定電圧値Ｖｒとした状態で電子部品１１のキャパシタンス値Ｃを測定することができる。これにより、この測定装置１および測定方法によれば、例えば積層セラミックコンデンサのような電圧依存性がある測定対象についても、そのキャパシタ成分１１ｃの両端間に正確に規定電圧値Ｖｒを印加した状態での正確なキャパシタンス値Ｃを測定することができる。
【００３４】
なお、測定対象となる電子部品１１としてキャパシタを例に挙げて説明したが、この測定装置１および測定方法は、インダクタが測定対象となる電子部品１１の場合に対しても適用することができ、この場合には、電子部品１１としてのキャパシタを測定対象とする際と同様にして、位相差検出ステップおよび印加ステップを実行することにより、抵抗成分と直列に存在するインダクタのインダクタ成分に対して規定電圧値Ｖｒを印加した状態でインダクタの正確なインダクタンス値を測定することができる。
【００３５】
また、測定装置１がインピーダンスＺを２端子法で測定する例を挙げて説明したが、インピーダンスＺを４端子法で測定する場合にも適用することができ、この場合には、キャパシタ成分１１ｃに直列接続されている抵抗成分１１ｄでの電圧降下分（測定対象がインダクタの場合にはインダクタ成分に直列接続されている抵抗成分での電圧降下分）を無視できない状況下においても、測定対象である電子部品１１のキャパシタ成分１１ｃ（またはインダクタ成分）に正確に規定電圧値Ｖｒを印加した状態でそのキャパシタンス値（またはインダクタンス値）を正確に測定することができる。
【符号の説明】
【００３６】
１  測定装置
２  電圧生成部
３  電圧検出部
４  電流検出部
５  処理部
１１  電子部品（測定対象）
Ｃ  キャパシタンス値
ｆ  周波数
Ｉｍ  測定電流
Ｖ１  両端間電圧
Ｖｍ  測定用交流電圧
Ｖｒ  規定電圧値
Ｖｒｃ  補正規定電圧値
【図１】
0006570981.tif 000002